(57)【要約】      （修正有）【課題】刃面を欠けにくくし、孔壁品質を向上させるドリル構造を提供する。【解決手段】ドリル構造は、シャンク部分、および、シャンク部分の一端に設置された刃部分を有し、刃部分の最前端上に、刀面中心を設置するとともに、刀面中心両側に、後ろ斜め方向に、二個の対称なドリルブレードを形成し、各ドリルブレードは、面取りエッジ３４１、第一接続エッジ３４２、および、第一面取りエッジ３４３を有する主刀面３４、刀背エッジ３６１、第二接続エッジ３６２、第二面取りエッジ３６３、および、副刀面外縁３６４を有する副刀面３６を有する。第二接続エッジと第一接続エッジは結合され、且つ、第一面取りエッジと第二面取りエッジは接続される。補助刀面３８は、主刀面の第一面取りエッジ、および、副刀面の第二面取りエッジに延設され、且つ、シャンク部分方向に傾斜する。【選択図】図３
0003210779.tif 000002
【実用新案登録請求の範囲】
【請求項１】
ドリル構造であって、
シャンク部分、および、
前記シャンク部分の一端に設置され、最前端上に、刀面中心を設置し、前記刀面中心両側は、前記シャンク部分方向に、斜め向けに、二個の対称なドリルブレードを形成し、前記の各ドリルブレードの外周辺が、外周面に沿って、後ろ向けに延伸して巻き、二個の螺旋側刃、および、二個の排屑溝を形成し、二個の前記ドリルブレードが、前記刀面中心に位置する交差エッジを有する刃部分、を有し、前記の各ドリルブレードは、
面取りエッジ、第一接続エッジ、および、第一面取りエッジを有し、前記面取りエッジ、および、前記第一接続エッジが、それぞれ、前記交差エッジの相対する二端から延設され、且つ、前記面取りエッジ、および、前記第一接続エッジの前記交差エッジから離れる一端と前記第一面取りエッジが接続する主刀面と、
刀背エッジ、第二接続エッジ、第二面取りエッジ、および、副刀面外縁を有し、前記第二接続エッジと前記第一接続エッジが結合し、前記第二面取りエッジの一端と前記第二接続エッジ、および、前記主刀面の前記第一面取りエッジが接続し、前記第二面取りエッジのもう一端が前記副刀面外縁と接続する副刀面、および、
前記主刀面の前記第一面取りエッジ、および、前記副刀面の前記第二面取りエッジに延設され、且つ、前記シャンク部分方向に傾斜する補助刀面、
を有することを特徴とするドリル構造。
【請求項２】
前記補助刀面は、輔助面取りエッジ、および、外周エッジを有し、前記輔助面取りエッジは前記主刀面の前記面取りエッジと接続することを特徴とする請求項１に記載のドリル構造。
【請求項３】
二個の前記主刀面の二個の前記第一面取りエッジの間は第一ピッチを有し、二個の前記補助刀面の二個の前記外周エッジの間は第二ピッチを有し、前記第一ピッチは前記第二ピッチより小さく、且つ、前記第一ピッチと前記第二ピッチの比率は、３０％〜９５％の間であることを特徴とする請求項２に記載のドリル構造。
【請求項４】
二個の前記副刀面の二個の前記刀背エッジは、それぞれ、前記刀面中心の相対する二端から延設され、且つ、前記刀背エッジの前記刀面中心から離れる一端と前記副刀面外縁が接続することを特徴とする請求項１から３いずれかの一項に記載のドリル構造。
【請求項５】
前記の各主刀面の領域は、前記刀面中心から前記外周辺方向に、徐々に広くなることを特徴とする請求項４に記載のドリル構造。
【請求項６】
前記の各ドリルブレードの前記面取りエッジの前記刀面中心に隣接する部分ともう一つの前記ドリルブレードの前記刀背エッジの前記刀面中心に隣接する部分は、共同で、前記の各排屑溝の壁面に延伸する主凹槽を形成し、且つ、前記の各面取りエッジの中段部はサブ凹槽を形成することを特徴とする請求項４又は５に記載のドリル構造。
【請求項７】
前記刀面中心は、前記の各主刀面の第一エッジ、および、前記の各副刀面の第二エッジが接続して構成されることを特徴とする請求項１から６何れかの一項に記載のドリル構造。
【請求項８】
前記シャンク部分方向に傾斜する前記補助刀面と前記刃部分の中心軸の間は挟角を有し、且つ、前記挟角は１０度〜８５度の間で、又、二個の前記主刀面は前記刀面中心両側に位置し、且つ、１２０度〜１８５度の間のドリル角度を形成することを特徴とする請求項１から７何れかの一項に記載のドリル構造。
【請求項９】
二個の前記補助刀面は、二個の前記ドリルブレードの相対する二角で面取りを施して構成されることを特徴とする請求項１から８何れかの一項に記載のドリル構造。
【請求項１０】
前記シャンク部分の外径は、３．１７ミリ〜３．１８ミリの間、且つ、前記刃部分の外径は、０．０７５ミリ〜３．１７５ミリの間、あるいは、３．１７５ミリ〜６．５ミリの間であることを特徴とする請求項１から９何れかの一項に記載のドリル構造。
【考案の詳細な説明】
【技術分野】
【０００１】
本考案は、ドリル構造に関するものであって、特に、プリント回路基板（ｐｒｉｎｔｅｄ  ｃｉｒｃｕｉｔ  ｂｏａｒｄ，  ＰＣＢ）に用いるドリル構造に関するものである。
【背景技術】
【０００２】
近年、電子製品の軽薄短小設計の趨勢にて、電子製品内部の各種電子素子の製造加工がますます精密になり、電子素子を設置させるプリント回路基板の体積も縮小させなければならない。現在、プリント回路基板ドリル加工工程において使用するマイクロドリル（ｍｉｃｒｏ  ｄｒｉｌｌ）の精度、強度と供給速度、さらには、孔壁品質等の加工条件に対する要求も高くなっている。また、実務上、通常、スタックしてなる複数のプリント回路基板に同じドリル加工工程を同時に施して、加工効率を向上させるとともに、製造コストを減少させるので、使用されるドリル長さは長く、十分な強度と排屑能力が必要とされる。
【０００３】
従来のマイクロドリルは、主に、シャンク部分、および、シャンク部分の一端に接続される刃部分を有する。刃部分の最前端は刀面構造１０を設置し、図１に示されるように、刀の静点１６で対称に設置される二個の主刀面１２、１２’、および、二個の副刀面１４、１４’を有し、刀面構造１０を利用して、板材表面に対して鏨処理する。この種の設計の刀面構造１０において、主刀面１２、１２’と副刀面１４、１４’は、板材との接触面積が大きく、刀面が欠けやすくなり、孔壁品質が悪くなるだけでなく、ドリルの使用寿命にも影響する。
【考案の概要】
【考案が解決しようとする課題】
【０００４】
上述の問題を解決するため、本考案は、ドリル構造を提供し、ドリルブレードを面取りして、補助刀面を構成する設計により、ドリルブレードと板材の接触面積を大幅に減少させて、刀面を欠けにくくし、孔壁品質を大幅に向上させることを目的とする。
【０００５】
本考案は、ドリル構造を提出し、補助刀面の輔助面取りエッジと主刀面の面取りエッジの接続により、主刀面の切削線を増加させて、ドリル時の切削能力を増強させ、孔壁品質を向上させることを目的とする。
【課題を解決するための手段】
【０００６】
上述の目的を達成するため、本考案の一実施例によるドリル構造は、シャンク部分、および、シャンク部分の一端に設置された刃部分を有する。刃部分の最前端上に、刀面中心を設置し、刀面中心両側は、後ろ斜め向けに、二個の対称なドリルブレードを形成する。各ドリルブレードの外周辺は、刃部分の外周面に沿って、後ろ向けに延伸して巻き、二個の螺旋側刃、および、二個の排屑溝を形成する。二個のドリルブレードは、刀面中心に位置する交差エッジを有し、各ドリルブレードは、面取りエッジ、第一接続エッジ、および、第一面取りエッジを有し、面取りエッジ、および、第一接続エッジが、それぞれ、交差エッジの相対する二端から延設され、且つ、面取りエッジ、および、第一接続エッジの交差エッジから離れる一端と第一面取りエッジが接続する主刀面と、刀背エッジ、第二接続エッジ、第二面取りエッジ、および、副刀面外縁を有し、第二接続エッジと第一接続エッジが結合し、第二面取りエッジの一端が、第二接続エッジ、および、主刀面の第一面取りエッジに接続され、第二面取りエッジのもう一端が副刀面外縁を接続する副刀面と、主刀面の第一面取りエッジ、および、副刀面の第二面取りエッジに延設され、且つ、シャンク部分方向に傾斜する補助刀面と、を有する。
【０００７】
二個の補助刀面は、二個のドリルブレードの相対する二角に、面取りを施して構成される。補助刀面は、シャンク部分方向に傾斜し、刃部分の中心軸との間に挟角を有し、挟角は１０度〜８５度の間である。又、各補助刀面は、輔助面取りエッジ、および、外周エッジを有し、且つ、輔助面取りエッジは、主刀面の面取りエッジと接続している。
【０００８】
二個の主刀面の二個の第一面取りエッジの間は第一ピッチを有し、二個の補助刀面の二個の外周エッジの間は第二ピッチを有し、第一ピッチは第二ピッチより小さく、且つ、第一ピッチと第二ピッチの比率は、３０％〜９５％の間である。
【０００９】
一実施例において、二個の副刀面の二個の刀背エッジは、それぞれ、交差エッジの相対する二端から延設され、且つ、刀背エッジの交差エッジから離れる一端と副刀面外縁が接続する。又、各主刀面の領域は、刀面中心から外周辺方向に、徐々に広くなる。
【００１０】
一実施例において、各主刀面の面取りエッジの刀面中心に隣接する部分と各副刀面の刀背エッジの刀面中心に隣接する部分は、共同で、各排屑溝の壁面に延伸する主凹槽を形成し、且つ、各面取りエッジの中段部は、サブ凹槽を形成する。
【００１１】
一実施例において、二個のドリルブレードの交差エッジは、各主刀面の第一エッジ、および、各副刀面の第二エッジが接続して構成される。
【００１２】
一実施例において、二個の主刀面は刀面中心両側に位置し、且つ、１２０度〜１８５度の間のドリル角度を形成する。
【００１３】
一実施例において、シャンク部分の外径は、３．１７ミリ〜３．１８ミリの間、且つ、刃部分の外径は、０．０７５ミリ〜３．１７５ミリの間、あるいは、３．１７５ミリ〜６．５ミリの間である。
【００１４】
上記及び他の目的及び本考案の特徴は、添付図面とともに以下の記載を参照することにより明らかとなる。
【考案の効果】
【００１５】
本考案のドリル構造により、孔壁品質が向上する。
【図面の簡単な説明】
【００１６】
【図１】従来のドリル構造の刀面構造を示す図である。
【図２】本考案の一実施例によるドリル構造の構造図である。
【図３】本考案の第一実施例によるドリル構造を示す図である。
【図４】本考案の第二実施例によるドリル構造を示す図である。
【図５】本考案の第三実施例によるドリル構造を示す図である。
【図６】本考案の第四実施例によるドリル構造を示す図である。
【考案を実施するための形態】
【００１７】
図２は、本考案の一実施例によるドリル構造の構造図であり、図２に示されるように、ドリル構造２０は、シャンク部分２２、および、刃部分２４を有し、刃部分２４は、シャンク部分２２の一端に設置され、刃部分２４の最前端は刀面中心２６を設置する。刀面中心２６二側は、シャンク部分２２方向に、斜め方向に、二個の対応するドリルブレード２８、２８’を形成し、二個のドリルブレード２８、２８’の外周辺は、それぞれ、刃部分２２の外周面に沿って、後ろ向けに延伸して巻き、二個の螺旋側刃３０、３０’、および、二個の排屑溝３２、３２’を形成する。図３は、本考案の第一実施例によるドリル構造の端面を示す図であり、二個のドリルブレード２８、２８’は、図３に示されるように、刀面中心２６に交差エッジを有し、各ドリルブレード２８、２８’は、主刀面３４、３４’、副刀面３６、３６’、および、補助刀面３８、３８’を有する。
【００１８】
以下で、主に、ドリルブレード２８の主刀面３４、副刀面３６、および、補助刀面３８を例として、本考案の特徴を説明する。もうひとつのドリルブレード２８’の主刀面３４’、副刀面３６’、および、補助刀面３８’も、対応する特徴を有する。主刀面３４は、面取りエッジ３４１、第一接続エッジ３４２、および、第一面取りエッジ３４３を有する。面取りエッジ３４１、および、第一接続エッジ３４２は、それぞれ、刀面中心２６（すなわち、二個のドリルブレード２８、２８’の交差エッジ）の相対する二端から延設され、且つ、面取りエッジ３４１、および、第一接続エッジ３４２の刀面中心２６から離れるもう一端と第一面取りエッジ３４３は接続し、一実施例において、面取りエッジ３４１、および、第一接続エッジ３４２は相対し、且つ、平行である。副刀面３６は、刀背エッジ３６１、第二接続エッジ３６２、第二面取りエッジ３６３、および、副刀面外縁３６４を有する。第二接続エッジ３６２と第一接続エッジ３４２は結合され、且つ、二個の副刀面３６、３６’の二個の刀背エッジ３６１、３６１’は、それぞれ、刀面中心２６の相対する二端から延設され、第二面取りエッジ３６３の一端は第二接続エッジ３６２と接続され、且つ、主刀面３４の第一面取りエッジ３４３と交差し、第二面取りエッジ３６３のもう一端は副刀面外縁３６４の一端と接続し、副刀面外縁３６４のもう一端は、刀背エッジ３６１の刀面中心２６から離れる一端と接続する。補助刀面３８は、主刀面３４の第一面取りエッジ３４３、および、副刀面３６の第二面取りエッジ３６３に延設され、且つ、シャンク部分２２（図２に示される）方向に傾斜する。一実施例において、補助刀面３８は、輔助面取りエッジ３８１、および、外周エッジ３８２を有し、輔助面取りエッジ３８１は、主刀面３４の面取りエッジ３４１と接続している。
【００１９】
図４は、本考案第二実施例によるドリル構造の端面を示す図であり、図４に示されるように、刀面中心２６二側は、シャンク部分２２（図２に示される）方向に、斜め向けに、二個の対応するドリルブレード２８、２８’を形成し、各ドリルブレード２８、２８’は、主刀面３４、３４’、副刀面３６、３６’、および、補助刀面３８、３８’を有し、第二実施例と第一実施例との主な差異は、第二実施例において、各主刀面３４、３４’の領域は、刀面中心２６から外周辺方向に徐々に広くなって、扇形設計をなし、即ち、第一実施例に示されるドリルブレード２８、２８’と比べると、第二実施例に示されるドリルブレード２８、２８’は、刀面中心２６の厚さｔが小さく、ドリル時、下ドリルの抗力を低下させることができるので、刃部分２４（図２に示される）の使用寿命を延ばすことができる。
【００２０】
図５は、本考案の第三実施例によるドリル構造の端面を示す図であり、図５に示されるように、刀面中心２６二側は、シャンク部分２２（図２に示される）方向に、斜め向けに、二個の対応するドリルブレード２８、２８’を形成し、各ドリルブレード２８、２８’は、主刀面３４、３４’、副刀面３６、３６’、および、補助刀面３８、３８’を有し、主刀面３４の刀面中心２６に隣接する部分の面取りエッジ３４１と副刀面３６’の刀面中心２６に隣接する部分の刀背エッジ３６１’は、共同で、排屑溝３２の壁面に延伸する主凹槽４０を形成し、対応して、主刀面３４’の刀面中心２６に隣接する部分の面取りエッジ３４１’と副刀面３６の刀面中心２６に隣接する部分の刀背エッジ３６１は、共同で、排屑溝３２’の壁面に延伸する主凹槽４０’を形成する。又、各面取りエッジ３４１、３４１’の中段部は、それぞれ、サブ凹槽４２、４２’を形成し、ドリルブレード上に、主凹槽４０、４０’、および、サブ凹槽４２、４２’を形成するこのような設計は、非連続直線の切割線により、切屑を細碎化して、切屑が塊になって、刃部分の末端上に巻きつくのを防止し、このドリル構造のドリル品質を向上させる。
【００２１】
図６は、本考案の第四実施例によるドリル構造の端面を示す図であり、図６に示されるように、刀面中心２６二側は、シャンク部分２２（図２に示される）方向に、斜め向けに、二個の対応するドリルブレード２８、２８’を形成し、各ドリルブレード２８、２８’は、主刀面３４、３４’、副刀面３６、３６’、および、補助刀面３８、３８’を有し、第四実施例と第一実施例との主な差異は、第四実施例において、刀面中心２６は、各主刀面３４、３４’の第一エッジ３４４、３４４’、および、各副刀面３６、３６’の第二エッジ３６５が接続して構成されることである。
【００２２】
上述の第一、第二、第三、および、第四実施例において、二個の補助刀面３８、３８’は、二個のドリルブレード２８、２８’の相対する二角で、面取り工程により構成され、主刀面３４、３４’、および、副刀面３６、３６’の交差箇所で、補助刀面３８、３８’を形成する。図３に示される第一実施例のドリルブレード２８、２８’を例とすると、二個の主刀面３４、３４’の二個の第一面取りエッジ３４３、３４３’の間に第一ピッチｗ１を有し、二個の補助刀面３８、３８’の二個の外周エッジ３８２、３８２’の間に第二ピッチｗ２を有し、第一ピッチｗ１は第二ピッチｗ２より小さく、且つ、第一ピッチｗ１と第二ピッチｗ２の比率は、３０％〜９５％の間で、第一ピッチｗ１と第二ピッチｗ２の比率は、好ましくは、９０％である。
【００２３】
再度、図２を参照すると、二個のドリルブレード２８、２８’は刀面中心２６二側に位置し、且つ、１２０度〜１８５度の間のドリル角度θ１を形成し、また、補助刀面３８、３８’は、ドリルブレード２８、２８’で、面取りして構成され、補助刀面３８、３８’は、シャンク部分２２方向に傾斜し、且つ、刃部分２４の中心軸との間に、挟角θ２を有し、挟角θ２は、１０度〜８５度の間である。シャンク部分２２の外径は、３．１７ミリ〜３．１８ミリの間、且つ、刃部分２４の外径は、０．０７５ミリ〜３．１７５ミリの間、あるいは、３．１７５ミリ〜６．５ミリの間である。
【００２４】
本考案において、ドリルブレードを面取りして、補助刀面を構成する設計により、ドリルブレードと板材の接触面積を大幅に減少させて、刀面が欠けにくく、孔壁品質を大幅に向上させる。さらに、補助刀面の輔助面取りエッジと主刀面の面取りエッジの接続により、主刀面の切削線を増加させて、ドリル時の切削能力を増強し、孔壁品質を向上させる。
【符号の説明】
【００２５】
0003210779.tif 000003
【図１】
0003210779.tif 000004
【図２】
0003210779.tif 000005
【図３】
0003210779.tif 000006
【図４】
0003210779.tif 000007
【図５】
0003210779.tif 000008
【図６】
0003210779.tif 000009